(57)【特許請求の範囲】
【請求項１】
集塵用の電動送風機を内蔵する掃除機本体と、該掃除機本体に接続される可撓性ホースと、該可撓性ホースに接続される延長管と、底面に吸込開口を有し、前記延長管に接続される床用吸込具と、該床用吸込具に内蔵される回転ブラシと、前記床用吸込具に内蔵され、前記回転ブラシを回転駆動する駆動モータと、を備えた電気掃除機において、
前記床用吸込具は、塵埃を吸着し得るシートが巻き解きされる巻取り手段と、前記シートを前記吸込開口へ導く案内手段とを備え、
前記案内手段を介して前記回転ブラシと前記シートとの接触を保ちながら前記シートを巻き解きさせる巻取り指示手段を備える
ことを特徴とする電気掃除機。
【請求項２】
請求項１に記載の電気掃除機において、
前記巻取り指示手段は、前記回転ブラシの回転に伴い前記シートを前記床用吸込具内に巻取り収納する
ことを特徴とする電気掃除機。
【請求項３】
請求項２に記載の電気掃除機において、
前記回転ブラシは、前記シートの巻き解きを前記回転ブラシが前記巻取り収納する際と逆回転することにより実行される
ことを特徴とする電気掃除機。
【請求項４】
請求項１から３のいずれかに記載の電気掃除機において、
前記シートが巻取り収納される前記床用吸込具は、床面掃除時に床面に対する吸込み動作を前記拭き掃除と共に実行できる
ことを特徴とする電気掃除機。
【請求項５】
請求項１から３のいずれかに記載の電気掃除機において、
前記床用吸込具は、前記電動送風機からの吸引気流を生じさせている状態で、前記シートの巻取り収納を実行する
ことを特赦とする電気掃除機。
【請求項６】
集塵用の電動送風機を内蔵する掃除機本体と、該掃除機本体に接続される可撓牲ホースと、前記可撓性ホースに接続される延長管とを少なくとも有する電気掃除機に接続可能な床用吸込具において、
前記床用吸込具は、吸込開口と、回転ブラシと、該回転ブラシを回転駆動する駆動モータと、塵埃を吸着し得るシートが巻き解きされる巻取り手段と、前記シートを前記吸込開口へ導く案内手段とを備え、
前記案内手段を介して前記回転ブラシと前記シートとの接触を保ちながら前記シートを巻き解きさせる巻取り指示手段を備える
ことを特徴とする床用吸込具。
【請求項７】
請求項６に記載の電気掃除機において、
前記回転ブラシは、当該回転ブラシに塵埃を吸着し得るシートを接触させることにより当該回転ブラシの回転に伴いシートを前記床用吸込具内に巻取り収納することが可能であり、
さらに、前記シートの巻き解きは前記回転ブラシが前記巻取りの際と逆回転することにより実行される
ことを特徴とする床用吸込具。
【請求項８】
請求項６から７のいずれかに記載の床用吸込具において、
前記シートが巻取り収納される前記床用吸込具は、床面清掃時に床面に対する吸込み動作を前記拭き掃除と共に実行できる構造である
ことを特徴とする床用吸込具。
【請求項９】
請求項６から７のいずれかに記載の床用吸込具において、
前記床用吸込具は、前記電動送風機からの吸引気流を生じさせている状態で、前記シートの巻取り収納を実行できる構造である
ことを特徴とする床用吸込具。
【発明の詳細な説明】
【技術分野】
【０００１】
本発明は、電気掃除機及び床用吸込具に関する。
【背景技術】
【０００２】
電気掃除機の床用吸込体は、例えば、特開平１１−１９７０６２号公報（特許文献１）に記載されている。
【０００３】
特許文献１に示される吸込体は、ホース手元部の操作により吸込体の方向を９０度変え、家具下の狭い隙間等の掃除に供される。
【０００４】
【特許文献１】特開平１１−１９７０６２号公報
【発明の開示】
【発明が解決しようとする課題】
【０００５】
しかし、上記特許文献１に示す吸込体による隙間掃除は吸込体を隙間に挿入して行なう。洗濯機や冷蔵庫等の下部等では隙間が狭過ぎて吸込体が隙間に入らず、掃除できない。
【０００６】
本発明は、上記の問題に鑑み、洗濯機や冷蔵庫等の下部に存在する極狭い隙間の掃除もできる床用吸込体を提供することを目的とする。
【課題を解決するための手段】
【０００７】
本発明は、集塵用の電動送風機を内蔵する掃除機本体と、該掃除機本体に接続される可撓性ホースと、該可撓性ホースに接続される延長管と、底面に吸込開口を有し、前記延長管に接続される床用吸込具と、該床用吸込具に内蔵される回転ブラシと、前記床用吸込具に内蔵され、前記回転ブラシを回転駆動する駆動モータと、を備えた電気掃除機において、前記床用吸込具は、塵埃を吸着し得るシートが巻き解きされる巻取り手段と、前記シートを前記吸込開口へ導く案内手段とを備え、前記案内手段を介して前記回転ブラシと前記シートとの接触を保ちながら前記シートを巻き解きさせる巻取り指示手段を備えることを特徴とする。
また、本発明は、集塵用の電動送風機を内蔵する掃除機本体と、該掃除機本体に接続される可撓牲ホースと、前記可撓性ホースに接続される延長管とを少なくとも有する電気掃除機に接続可能な床用吸込具において、前記床用吸込具は、吸込開口と、回転ブラシと、該回転ブラシを回転駆動する駆動モータと、塵埃を吸着し得るシートが巻き解きされる巻取り手段と、前記シートを前記吸込開口へ導く案内手段とを備え、前記案内手段を介して前記回転ブラシと前記シートとの接触を保ちながら前記シートを巻き解きさせる巻取り指示手段を備えることを特徴とする。
【発明の効果】
【０００８】
本発明によれば、床用吸込体の前方に延び出すように突き出たり、引き込まれたりする塵埃拭き取りシートにより、洗濯機や冷蔵庫等の下部に存在する極狭い隙間の掃除をもすることができる。
【発明を実施するための最良の形態】
【０００９】
本発明の実施例について、図面を引用して説明する。
【００１０】
まず、第１実施例について、図１〜図７を引用して説明する。
【００１１】
床用吸込体１は、吸口継手２を有する。吸口継手２は、自在継手通路３を介して床用吸込体１に連通する。吸口継手２には、延長管が接続され、吸い込みホースを介して電気掃除機本体に連通するように吸口継手２は繋がれる。
【００１２】
床用吸込体１は、図１、図２、図３、図４に示すように、下ケース４と、上ケース５を有する。この下ケース４と上ケース５により、床用吸込体１の外郭が形成される。下ケース４の下面には、吸込開口６が設けられる。この吸込開口６より床用吸込体１に吸い込まれた塵埃を含む塵埃空気は、自在継手通路３、吸口継手２を流れ、延長管、吸い込みホースを経由して電気掃除機本体に吸い込まれる。
【００１３】
上ケース５は、前側ケース部５ａ、後側ケース部５ｂを有する。
【００１４】
回転ブラシ７は、図４に示すように、床用吸込体１の前側寄り内部に設けられ、前側ケース部５ａに回動自在に支持される。回転ブラシ７の外周側は、吸込開口６より床用吸込体１の外側に少し突出するように設けられる。回転ブラシ７は回転により掃除する床面を掻く。床に敷かれた絨毯に付着する塵埃を掻きだして吸い込むことができる。
【００１５】
図４〜図7に示すように、モップを含む塵埃拭き取りシート８が巻き解きされる巻取手段９は床用吸込体１内に設けられ、回転ブラシ７の後側に位置する。巻取手段９は巻取ケース２０内に収まる。
【００１６】
巻取手段９は、巻取ローラ２１、ローラ歯車２２、ローラ駆動手段の足踏ペダル２３、ペダル歯車２４、中間歯車２５、テンションローラ２６を有する。ローラ駆動手段は、足踏ペダル２３と、足踏ペダル２３の踏み込み力を巻取ローラ２１に伝えて回転させる回転伝達機構を有する。テンションローラ歯車３１は、ペダル歯車２４と噛み合う。
【００１７】
回転伝達機構は、ローラ歯車２２、ペダル歯車２４、ローラ歯車２２とペダル歯車２４との間に噛み合うように介在された中間歯車２５を含む。この回転伝達機構を介して足踏ペダル２３の踏み込み力が巻取ローラ２１に伝達され、足踏ペダル２３の踏み込みに応じて巻取ローラ２１は回わされる。
【００１８】
巻取ローラ２１に巻き解きされる塵埃拭き取りシート８は、テンションローラ２６によって巻取ローラ２１に押し付けられる。テンションローラ２６の押し付けにより、塵埃拭き取りシート８は巻取ローラ２１との摩擦が増して塵埃拭き取りシート８の巻き解きが良好に行なわれる。
【００１９】
シート出入口２７は、図６、図７に示すように、巻取ケース２０の下部に設けられる。このシート出入口２７より、塵埃拭き取りシート８は出入する。シート出入口２７には、塵埃除去手段の刷毛２８が設けられる。シート出入口２７を出入する塵埃拭き取りシート８が塵埃除去手段の刷毛２８に摺れて塵埃拭き取りシート８に付着する塵埃は掻き落とされる。付着塵埃が除去されるので、塵埃拭き取りシート８は繰り替えし使用できる。
【００２０】
掻き落された塵埃は、床用吸込体１で吸い込むことができるので、掃除の支障にならない。
【００２１】
上ケース５の前側ケース部５ａは、下ケース４、後側ケース部５ｂに対し、上側に上がるように回動自在に設けられている。前側ケース部５ａの上側への回動は、足踏ペダル２３の動きに連動させている。足踏ペダル２を踏み込むと、前側ケース部５ａは上側に上がるように回動し、足踏ペダル２を元の位置に戻すと、下側に回動する。
【００２２】
塵埃拭き取りシート８が巻取ローラ２１から解かれて床用吸込体１の前方に延び出すように突出するときは、前側ケース部５ａと一緒に回転ブラシ７も上側に上がるように回動移動する。このため、回転ブラシ７は塵埃拭き取りシート８が床用吸込体１の前方に出て行く動作の支障にならなく、塵埃拭き取りシート８の突出は円滑に行なわれる。
【００２３】
塵埃拭き取りシート８が巻取ローラ２１に巻き取られるときは、回転ブラシ７が下方に戻って塵埃拭き取りシート８に摺るようになるが、巻き取りは支障なく行なわれる。
【００２４】
床用吸込体１は、下面側に走行ローラ２９を有する。この走行ローラ２９があるので、塵埃拭き取りシート８や巻取手段９で重くなった床用吸込体１でも床面の走行が軽く行なわれる。
【００２５】
自在継手通路３は、自在継手ヒンジカバー４０、自在継手カバー４１、上下方向回動部４２、自在継手基体４３を有する。吸口継手２は自在継手基体４３に設けられる。自在継手ヒンジカバー４０、自在継手カバー４１、球状の上下方向回動部４２、自在継手基体４３の内部が塵埃空気の流れる通路になっている。
【００２６】
前側ケース部５ａが上側に回動すると、図７に示すように、前側ケース部５ａは自在継手ヒンジカバー４０の上側に被さるようになる。吸口継手２は、上下方向回動部４２を中心にして上下方向に回動し、起きた状態や後ろ側に倒れた状態にすることができる。
【００２７】
モップを含む塵埃拭き取りシート８は、横幅（６０〜７０）ｍｍ、突き出し長さ（１５〜２０）ｍｍ程度である。この塵埃拭き取りシート８は足踏ペダル２を踏み込むと、巻取ローラ２１が時計方向に回り、図２、図５に示すように、床用吸込体１の前方に突き出る。
【００２８】
図７は家具４４の下部になる床面の掃除を示している。床用吸込体１から突き出る塵埃拭き取りシート８は、家具４４の下部の極く狭い隙間に挿入され、床面の塵埃を付着して掃除を行なう。足踏ペダル２を図３に示すように上側に上げて元に戻すことにより、巻取ローラ２１は反時計方向に回転し、塵埃拭き取りシート８が巻き取られる。
【００２９】
このように、床用吸込体１に塵埃拭き取りシート８を巻き解きする巻取手段９を設けることにより、家具の極狭い隙間の掃除も容易に行なうことができる。普段できなかった洗濯機や冷蔵庫等の下部の掃除を容易にできる使い勝手の良い床用吸込体が提供できる。
【００３０】
図６は、床用吸込体１の通常の使い方を示している。塵埃拭き取りシート８は巻取手段９に巻装されているので、通常の掃除を支障なくすることができる。
【００３１】
また、巻取手段９は巻取ケース２０内に収まっているので、床用吸込体１を床面に移動しながらの通常掃除に巻取ローラ２１、塵埃拭き取りシート８、歯車等が床面の絨毯等に接することも生じない。通常の掃除が支障なく行なわれる。
【００３２】
第２実施例について、図８を引用して説明する。
【００３３】
ここでは、第２実施例の特徴とするところを主に説明し、第１実施例と共通するところは共通の符号を付す程度にする。
【００３４】
ローラ駆動用の駆動モータ４５が備わる。この駆動モータ４５は、第１実施例の足踏ペダル２３に代わるものである。駆動モータ４５の回転軸には駆動歯車４６が備わる。この駆動歯車４６が中間歯車２５に噛み合わされ、駆動モータ４５の回転が巻取ローラ２１に伝達される。
【００３５】
駆動モータ４５には、給電コード４７を通じて電力が供給される。駆動モータ４５による巻取ローラ２１の駆動は、足踏ペダル２３による駆動と違って塵埃拭き取りシート８の巻き解きを多くできる。塵埃拭き取りシート８の突き出し長さを多くできるので、家具の隙間の奥深くまで掃除することができる。
【００３６】
駆動モータ４５は床用吸込体１に内置するので出来るだけ小型にすることが望ましい。ネオジの磁石を用いた永久磁石モータが好適である。
【００３７】
第３実施例について、図９、図１０を引用して説明する。
【００３８】
ここでも、第３実施例の特徴とするところを主に説明し、第１実施例と共通するところは共通の符号を付す程度にする。
【００３９】
巻取ローラ２１から解かれた塵埃拭き取りシート８は、吸込開口６の反対側になる回転ブラシ７の外周側、つまり回転ブラシ７の上外周半周に接して吸込開口６から床用吸込体１の外側に延びるように突き出て行く。
【００４０】
塵埃拭き取りシート８は、出入する際に回転ブラシ７に擦られて、塵埃拭き取りシート８に付着する塵埃は掻き落とされるので、塵埃拭き取りシート８を繰り返し使用できる。掻き落とされた塵埃は床用吸込体１に吸塵されて掃除される。
【００４１】
塵埃拭き取りシート８が巻取ローラ２１から解かれるときには回転ブラシ７を反時計方向に回し、巻き取るときには回転ブラシ７を時計方向に回すことにより、塵埃拭き取りシート８の巻取ローラ２１による巻き解きがより円滑に行なわれる。
【００４２】
二つの案内板４８は塵埃拭き取りシート８の出入を円滑に導く案内部材である。一方の案内板４８は巻取ケース２０のシート出入口２７の近い位置と、他方の案内板４８は回転ブラシ７の上側外周に近い位置に設けられる。
【００４３】
塵埃拭き取りシート８は、二つの案内板４８に案内されて導かれるので、回転ブラシ７の上外周半周との接触が良好に保たれ、かつ円滑な巻き解きが維持される。
【００４４】
また、塵埃拭き取りシート８は、回転ブラシ７の上外周半周に接して吸込開口６から床用吸込体１の外側に突き出て行く。このため、第１実施例で述べた回転ブラシ７を上側に上げるような回動機構の構成が不要になる。
【００４５】
第４実施例について、図１１、図１２を引用して説明する。
【００４６】
ここでも、第４実施例の特徴とするところを主に説明し、第１実施例と共通するところは共通の符号を付す程度にする。
【００４７】
シート外部出入口４９は、上ケース５の前側ケース部５ａに設けられる。このシート外部出入口４９から滑り出する塵埃拭き取りシート８は、前側ケース部５ａの上面に沿って床用吸込体１の前方に延びて行く。
【００４８】
塵埃拭き取りシート８は、巻取ローラ２１とシート外部出入口４９との間で回転ブラシ７の外周と摺接する。塵埃拭き取りシート８は出入する際に回転ブラシ７に擦られて付着塵埃が第３実施例と同様に掻き落とされる。
【００４９】
また、第３実施例と同様に、塵埃拭き取りシート８が巻取ローラ２１から解かれるときには回転ブラシ７を反時計方向に回し、巻き取るときには回転ブラシ７を時計方向に回すことにより、塵埃拭き取りシート８の巻取ローラ２１による巻き解きがより円滑に行なわれる。
【００５０】
二つの案内板６０は塵埃拭き取りシート８の出入を円滑に導く案内部材である。一方の案内板６０は巻取ケース２０のシート出入口２７の近い位置と、他方の案内板６０は回転ブラシ７の上側外周に近い位置に設けられる。
【００５１】
塵埃拭き取りシート８は、二つの案内板６０に案内されて導かれるので、回転ブラシ７の外周との接触が良好に保たれ、かつ円滑な巻き解きが維持される。
【００５２】
また、塵埃拭き取りシート８は、前側ケース部５ａに設けたシート外部出入口４９から出入される。このため、第１実施例で述べた塵埃拭き取りシート８を脱出させる際に回転ブラシ７を上側に上げるような回動機構の構成が不要になる。
【００５３】
第５実施例について、図１３〜図１８を引用して説明する。
【００５４】
ここでも、第５実施例の特徴とするところを主に説明し、第１実施例と共通するところは共通の符号を付す程度にする。
【００５５】
床用吸込体１は、図１３、図１４、図１５に示すように、下ケース４と、上ケース５を有する。下ケース４と上ケース５は、図１４、図１５に示すように係合離脱手段により着脱自在に結合されている。
【００５６】
係合離脱手段は、図１４に示すように、下ケース４および上ケース５の前側に設けた係合部６１と、下ケース４および上ケース５の後側に設けたロック機構６２とを有する。ロック機構６２を前側に、係合部６１を後側に設けることもできる。また、ロック機構６２と係合部６１を共に前側または後側にまとめることもできる。
【００５７】
係合部６１は、下ケース４および上ケース５の前側に設けた引っ掛け部６１ａ、６１ｂを含む。引っ掛け部６１ａは下ケース４に、引っ掛け部６１ｂは上ケース５に設けられる。係合部６１は、二つの部材が係合される機能を有するものを含む。
【００５８】
ロック機構６２は、上ケース５の後側に設けた凹６２ａと、下ケース４に回動自在に設けた係合レバー６２ｂ、係合レバー６２ｂに設けられ、凹６２ａに係脱する爪６２ｃと、係合レバー６２ｂに設けられたロック解除ペダル６２ｄと、爪６２ｃが凹６２ａに係止した状態を付勢する付勢バネ６２ｅを含む。
【００５９】
ロック機構６２は、凹６２ａに係合レバー６２ｂの爪６２ｃが係止してロック状態になる。付勢バネ６２ｅに抗してロック解除ペダル６２ｄを踏み、凹６２ａから係合レバー６２ｂの爪６２ｃを離脱することにより、ロック状態は解かれる。
【００６０】
ロック機構６２は、凹６２ａを下ケース４に、係合レバー６２ｂを上ケース５に設けるようにすることもできる。
【００６１】
このロック機構６２と係合部６１を含む係合離脱手段により、下ケース４と上ケース５は着脱自在に結合される。ロック機構６２の爪６２ｃの係脱により、下ケース４と上ケース５の係合、離脱が行なわれるので、脱着が容易である。
【００６２】
下ケース４と上ケース５の接合部には、図１４に示すように、内側パッキング６３、外側パッキング６４が設けられる。内側パッキング６３、外側パッキング６４により接合部の気密が良好に保たれるので、空気リークが生じない。床用吸込体１の吸い込み性能が向上する。
【００６３】
図１４に示すように、下ケース４と上ケース５の接合部には、給電コード４７を接続する接続部が設けられる。接続部は、下ケース４側の接点４７ａと上ケース５側の接点４７ｂを有する。下ケース４側の給電コード４７は、回転ブラシ７を駆動する電動機等に接続される。
【００６４】
給電コード４７は、下ケース４と上ケース５の接合部で接点４７ａと接点４７ｂにより接離自在に接続されているので、給電コード４７の処置対応に煩わされることなく、下ケース４と上ケース５の着脱を容易に行なうことができる。
【００６５】
上ケース５は、吸口継手２、自在継手通路３を有する。自在継手通路３、吸口継手２に這わされた給電コード４７は、接続端子６５を有する。接続端子６５は、吸口継手２の上側に設けたコードカバー６６に支持される。
【００６６】
延長管６７は、図１６に示すように、吸口継手２に接続される。延長管６７に設けた給電端子６８は、吸口継手２の接続端子６５に接続される。延長管６７に設けたクランプ７１が吸口継手２の係止爪６９に係止される。この係止により、延長管６７は吸口継手２から外れないように接続される。
【００６７】
クランプ７１の押しボタン８０が付勢バネ８１に抗して押されると、係止爪６９からクランプ７１は外れる。引くことにより、延長管６７は吸口継手２から抜き外れる。
【００６８】
上ケース５は、下面に塵埃拭き取り部材８２を有する。塵埃拭き取り部材８２は、モップ、ブラシ、刷毛等を含む。
【００６９】
この塵埃拭き取り部材８２は、上ケース５の前側下面や吸込開口流路８３の周囲に設ける。上ケース５の中央を除く前側や両側は、厚みが１０ｍｍ程度で厚みが少なく、隙間の掃除に好都合である。
【００７０】
図１５、図１６は、上ケース５による隙間の掃除を示している。
【００７１】
床用吸込体１の下ケース４から分離した上ケース５は、中央を除くと、１０ｍｍ程度の厚みしかないので、家具４４の下部の狭い隙間に挿入される。上ケース５の塵埃拭き取り部材８２により、隙間の床面は掃除される。
【００７２】
上ケース５は、図１７、図１８に示すように自在継手通路３を有する。
【００７３】
この自在継手通路３は、上ケース５に対し、吸口継手２を上下方向に回動させたり、左右方向（横方向）に回動させたりできる。このため、図１７、図１８に示すように、吸口継手２を９０度横倒しにすることにより、上ケース５の両側部を使って隙間の掃除ができる。両側部は、前側より長さが長いので、隙間の奥まで掃除ができる。
【００７４】
下ケース４と上ケース５が結合された床用吸込体１は、通常の吸口として使用される。
【００７５】
第６実施例について、図１９、図２０を引用して説明する。
【００７６】
ここでも、第６実施例の特徴とするところを主に説明し、第１実施例、第５実施例と共通するところは共通の符号を付す程度にする。
【００７７】
床用吸込体１は、図１９、図２０に示すように、下ケース４Ｃと上ケース５Ｃを有する。上ケース５Ｃは、塵埃拭き取り部材８２の前側部位に設けた補助吸込開口８４と、塵埃拭き取り部材８２の上側部位に設けられ補助吸込流路８５とを有する。補助吸込流路８５は、吸込開口流路８３と補助吸込開口８４とを連通する。
【００７８】
下ケース４Ｃは、引っ掛け部６１ａの内側隣に蓋部８６を設ける。この蓋部８６は、下ケース４Ｃと上ケース５Ｃを重ね合わせて結合したときには補助吸込開口８４を閉じる。床用吸込体１が通常の吸口として使用されるときには、補助吸込開口８４が閉じられているので、回転ブラシ７の掻き揚げられて塵埃が補助吸込開口８４に詰まる不具合が生じ難い。
【００７９】
上ケース５Ｃは、補助吸込開口８４、補助吸込流路８５を除くと、第５実施例の上ケース５と同じ構成を有する。このため、図２０に示すように、家具４４の下部の狭い隙間を上ケース５Ｃにより行うことができる。この際に補助吸込開口８４より床面の塵埃が吸引されるので、塵埃拭き取り部材８２による塵埃の拭き取りと併せて隙間の掃除がより良く行なわれる。
【００８０】
第７実施例について、図２１、図２２を引用して説明する。
【００８１】
ここでも、第７実施例の特徴とするところを主に説明し、第１実施例、第５実施例、第６実施例と共通するところは共通の符号を付す程度にする。
【００８２】
床用吸込体１は、図２１、図２２に示すように、下ケース４Ｄと上ケース５Ｄを有する。上ケース５Ｄに設けられる塵埃拭き取り部材８２ａは、支点８２ｂに回動自在に支持される。塵埃拭き取り部材８２ａの前側部位には補助吸込開口８４が、塵埃拭き取り部材８２ａの上側部位には補助吸込流路８５が設けられる。
【００８３】
付勢バネ８７は、塵埃拭き取り部材８２ａの前側を下側に押圧すように設けられる。下ケース４Ｄは、蓋部８６の端部側に立上リブ８８を有する。下ケース４Ｄと上ケース５Ｄを重ね合わせて結合すると、塵埃拭き取り部材８２ａは立上リブ８８に押されて前側上端部が補助吸込流路８５の天井に当接する。これにより、補助吸込流路８５は閉ざされる。
【００８４】
床用吸込体１が通常の吸口として使用されるときには、蓋部８６による補助吸込開口８４の閉鎖に加え、塵埃拭き取り部材８２ａによる補助吸込流路８５の閉鎖も行なわれる。二重の閉鎖になるので、補助吸込流路８５の塵埃空気流通はより良く閉ざされる。
【００８５】
図２２に、上ケース５Ｄによる家具４４の下部掃除を示す。
【００８６】
家具４４の下部掃除では、塵埃拭き取り部材８２ａが付勢バネ８７に床面に押し付けられるので、床面の塵埃がより良く掃除される。また、塵埃拭き取り部材８２ａによる補助吸込流路８５の閉鎖も解かれるので、補助吸込開口８４から床面の塵埃が吸い込まれる。
【００８７】
第８実施例について、図２３〜図３０に引用して説明する。
【００８８】
床用吸込体１は、図２３〜図２６に示すように、下ケース４Ｅと、上ケース５Ｅと、自在継手３Ｅと、吸口継手２Ｅを有する。下ケース４Ｅと上ケース５Ｅは、重ね合わされ、前後方向にスライド自在に連結されている。
【００８９】
上ケース５Ｅは、操作レバー８９を有する。この操作レバー８９の操作により、下ケース４Ｅは上ケース５Ｅに対して前後にスライド移動する。
【００９０】
図２７に示すように、下ケース４Ｅは、上ケース５Ｅよりも外回りが大きく、内部に回転ブラシ７を有する。自在継手３Ｅは上ケース５Ｅに対し、上下方向に回動自在に連結されている。吸口継手２Ｅは自在継手３Ｅに対し、左右方向に回動自在に連結されている。下ケース４Ｅの高さは、２５ｍｍ程度である。
【００９１】
下ケース４Ｅは、上面に下ケース連通口９１を有する。上ケース５Ｅは下面に上ケース連通口９２を有する。下ケース連通口９１と上ケース連通口９２は対向するように配置される。
【００９２】
上ケース連通口９２は、下ケース連通口９１より前後方向に大きい。下ケース連通口９１が上ケース連通口９２内に収まる範囲内で、下ケース４Ｅは上ケース５Ｅに対してスライド移動する。このため、下ケース４Ｅがどの位置にあっても上ケース５Ｅと下ケース４Ｅの連通は保たれる。
【００９３】
操作レバー８９は、下端にピニオン１００を有す。ピニオン１００の軸心は上ケース５Ｅに回転自在に支持されている。下ケース４Ｅの上面に設けられたラック１０１は、ピニオン１００に噛み合わされている。操作レバー８９を上下に動かすことにより、ピニオン１００は回転する。これに伴いラック１０１が押されて下ケース４Ｅは前後にスライド移動する。
【００９４】
図３０に示すように、操作レバー８９を倒すと、下ケース４Ｅは前側へ突き出すようにスライド移動する。図２９に示すように、操作レバー８９を立てると、下ケース４Ｅは後側へ後退するようにスライド移動する。
【００９５】
家具４４の下部の掃除では、図２８に示すように、下ケース４Ｅを前側に突出させて行なうことにより、奥側まで掃除できる。通常の掃除は、図２９に示すように下ケース４Ｅを後退させて行なう。
【００９６】
この床用吸込体１は、操作レバー８９の操作だけで、家具４４の下部掃除と通常の掃除が切り替えられるので、使い勝手が良い。
【００９７】
第９実施例について、図３１〜図３５を引用して説明する。
【００９８】
この吸込体１０２は、隙間または高所の掃除に好適なものである。
【００９９】
図３１では、家具４４の下部隙間を吸込体１０２を使って掃除しているところを示している。吸込体１０２は、延長管１０３、吸込ホース１０４を介して電気掃除機本体１０５に連通接続されている。
【０１００】
吸込体１０２は、図３２に示すように、横幅に比べ厚みが薄く、前後方向に長く延びた形状をし、かつ可撓性を有する。図３４に示すように、吸込体１０２は、中間ベース板１０６と、この中間ベース板１０６の上面に重ね合わされる上板１０７と、中間ベース板１０６の上面に重ね合わされる下板１０８を有する。
【０１０１】
上板１０７と下板１０８は、可撓性に富む材料で形成されている。中間ベース板１０６は、上板１０７や下板１０８よりも可撓性が少ない材料で形成されている。中間ベース板１０６と上板１０７や下板１０８を接着材等で接合して一体化した吸込体１０２は、程好い可撓性になる。
【０１０２】
中間ベース板１０６には、図３３に示すように、長手方向に延びる軟質の針金が心線１０９として埋設される。この心線１０９により、吸込体１０２は曲げられた形状が保持される。
【０１０３】
中間ベース板１０６は、前後方向に延在する複数の仕切支骨１２０を有する。この仕切支骨１２０の間に分けられた前後方向に延在する通気路１２１が設けられる。中間ベース板１０６の後端には、吸口継手１２２が設けられる。吸口継手１２２の内側は通気路１２１と連通する。
【０１０４】
中間ベース板１０６の両側の位置する仕切支骨１２０には、下面に側部吸込穴１２３が設けられる。中間ベース板１０６の前縁には、下面に前部吸込穴１２４が設けられる。
【０１０５】
上板１０７には、横長の上部吸込穴１２５が縦に等間隔で並ぶように設けられる。下板１０８には、横長の下部吸込穴１２６が縦に等間隔で並ぶように設けられる。
【０１０６】
上板１０７、下板１０８は、間に介在する中間ベース板１０６の仕切支骨１２０で支えられている。このため、上板１０７、下板１０８を上下から押しても通気路１２１が塞がれずに通風は確保される。
【０１０７】
図３５は、家具４４の下部隙間に吸込体１０２を挿入して掃除をしているところを示す。
【０１０８】
吸込体１０２が撓み下部隙間の奥まで挿入される。掃除する者がわざわざ身を屈めることなく立ったままで掃除できるので、低いところの隙間掃除がし易い。
【０１０９】
吸込体１０２には、前部、上下、両側部に吸込穴が設けられている。吸込体１０２が挿入された隙間内の塵埃が一挙に吸塵されるので、隙間掃除が手早くできる。
【０１１０】
また、前述したように吸込体１０２は曲げられた形状が保持される。高い家具の天板上側の掃除では、吸込体１０２を下向き曲げて使うと、天板上面に吸込体１０２が沿うようになるので、掃除がし易い。
【０１１１】
第１０実施例について、図３６を引用して説明する。
【０１１２】
この実施例の吸込体１２７は、第９実施例で述べた吸込体の表面に植毛１２８を施したところが特徴である。
【０１１３】
この植毛１２８で付着した塵埃を擦り落しながら吸い込むことができるので、隙間のしつこい汚れの掃除に好都合である。
【０１１４】
第１１実施例について、図３７を引用して説明する。
【０１１５】
この実施例の吸込体１０２Ａは、下ベース板１０６Ａと、上板１０７で構成される。この点を除くと、先に述べた第９実施例の吸込体と基本的な違いはない。違うところを主に述べ、共通するところは符号を付す程度にする。
【０１１６】
下ベース板１０６Ａは、底部１２９と、周壁１４０を有する。周壁１４０の前側部には、前部吸込穴１２４Ａが設けられる。周壁１４０の側部には、側部吸込穴１２３Ａが設けられる。底部１２９には、二つの突起１４１が並べて設けられる。
【０１１７】
下ベース板１０６Ａに重ね合さる上板１０７は、上部吸込穴１２５の間が突起１４１により内面側から支えられる。このため、上板１０７が表面から押されても大きく凹まなく、吸込体１０２Ａの通気路が塞がれずに通風が確保される。
【０１１８】
第１１実施例の吸込体１０２Ａは、第９実施例の吸込体に比べ構成部品が少なく、安価に出来る。
【０１１９】
第１２実施例について、図３８を引用して説明する。
【０１２０】
この実施例の吸込体１０２Ｂは、下ベース板１０６Ｂの底部１２９に下部吸込穴１２６Ｂを設けたところが、第１１実施例の吸込体と違う。
【０１２１】
底部１２９に下部吸込穴１２６Ｂを有するので、この吸込体１０２Ｂは、第１１実施例の吸込体よりも広範囲の吸塵が行なわれる。
【０１２２】
第１３実施例について、図３９、図４０を引用して説明する。
【０１２３】
この実施例の吸込体１４２は、球体の自在継手通路１４３を介して延長管１４４に連結されている。もちろん、この自在継手通路は、球体に限らず、吸込体１４２と延長管１４４との相対的な角度を変えられるものであれば、他の形状であってもよい。
【０１２４】
吸込体１４２は、第９実施例の吸込体と同様、横幅に比べ厚みが薄く、前後方向に長く延びた形状を有する。吸込体１４２には、前部吸込穴１４５と、側部吸込穴１４６とが設けられる。
【０１２５】
この吸込体１４２は、可撓性をもたないが自在継手通路１４３を有するので、第９実施例の吸込体と同様な使い方ができる。吸込体１４２を図３９に示すように曲げることにより、使用者は身を屈めずに立ったままで、家具の下部隙間の掃除を奥深まですることが出来る。
【０１２６】
第１４実施例について、図４１、図４２を引用して説明する。
【０１２７】
この実施例の吸込体１４７は、横方向に長く延び、前後方向の幅が少なく、厚みが前後方向の幅よりも薄い形状を有する。
【０１２８】
この可撓性を有する吸込体１４７は、前部吸込穴１４８、上部吸込穴１４９、下部吸込穴１５０を有する。吸込体１４７の吸口継手１５２には、延長管１５３が着脱自在に接続される。
【０１２９】
この吸込体１４７は厚さが薄いので、家具の下部隙間に挿入した掃除することができる。
【０１３０】
また、吸込体１４７は可撓性を有するので、丸い形状の家具４４に押し当てると、図４２に示すように、家具４４の外周に沿って撓む。家具の縁部の掃除をするのに好都合である。
【０１３１】
図１２に示す実施例について説明する。
【０１３２】
この実施例は、吸込体の外側の形状を示した。
【０１３３】
（Ａ）に示す吸込体は、前後方向に細長い形状を有する。
【０１３４】
（Ｄ）に示す吸込体は、前後方向に細長く、前側の片側角が斜にカットされた形状を有する。
【０１３５】
（Ｃ）に示す吸込体は、前後方向に細長く、前側の両角が円弧形状にカットされた形状を有する。
【０１３６】
（ｄ）に示す吸込体は、横方向に長く延びた形状を有する。
【０１３７】
（Ｅ）に示す吸込体は、前後方向に細長く延び、先になるにしたがい幅が広がる形状を有する。
【０１３８】
（Ｆ）に示す吸込体は、前後方向に細長く延び、先になるにしたがい幅が狭まる形状を有する。
【０１３９】
（Ｇ）に示す吸込体は、前後方向に細長く延び、先が尖る直角三角形の形状を有する。
【０１４０】
（Ｈ）に示す吸込体は、円盤の形状を有する。
【０１４１】
（Ｉ）に示す吸込体は、幅の狭い円弧形状を有する。
【０１４２】
第１５実施例について、図４４、図４５を引用して説明する。
【０１４３】
この実施例は、吸込体１０２Ｃが分割されている吸込ブロック１６１、１６２、１６３
を連結して形成されたところが特徴である。この特徴を除くと、第９実施例と共通である。
【０１４４】
吸込ブロック１６１は、前部吸込穴１６４と、側部吸込穴１６５と、下部吸込穴１６６を有する。吸込ブロック１６２は、側部吸込穴１６５と、下部吸込穴１６６を有する。吸込ブロック１６３は、下部吸込穴１６６を有する。
【０１４５】
吸込ブロック１６２、１６３は、前側に連結突部１６７を有する。この連結突部１６７を前側の吸込ブロック１６１、１６２に差込み、側部に連結ピン１６８に挿入して繋ぐことにより、吸込体１０２Ｃが作られる。
【０１４６】
この吸込体１０２Ｃは、吸込ブロック１６１、１６２、１６３が連結ピン１６８で可動自在にされているので、図４４に示すように湾曲する。このため、第９実施例と同様、隙間や高いところの掃除にできる。
【０１４７】
また、吸込体１０２Ｃは、連結ピン１６８で可動自在にされているので、可撓性を有する材料を用いる必要はない。硬質の材料で作ることができるので、吸込体１０２Ｃは潰れ難く、潰れによる流路の閉鎖は生じにくい。
【図面の簡単な説明】
【０１４８】
【図１】本発明の第１実施例に係わるもので、通常使用における床用吸込体の外観斜視図である。
【図２】本発明の第１実施例に係わるもので、塵埃拭き取りシートが突き出るところを示している床用吸込体の外観斜視図である。
【図３】本発明の第１実施例に係わるもので、塵埃拭き取りシートが引き込まれるところを示している床用吸込体の外観斜視図である。
【図４】本発明の第１実施例に係わるもので、通常使用における床用吸込体の内部構造を示す破断図である。
【図５】本発明の第１実施例に係わるもので、塵埃拭き取りシートが引き込まれる際の床用吸込体の内部構造を示す破断図である。
【図６】本発明の第１実施例に係わるもので、通常使用における床用吸込体の縦断面図である。
【図７】本発明の第１実施例に係わるもので、塵埃拭き取りシートが突き出るところを示している床用吸込体の縦断面図である。
【図８】本発明の第２実施例に係わるもので、床用吸込体の内部構造を示す破断図である。
【図９】本発明の第３実施例に係わるもので、通常使用における床用吸込体の縦断面図である。
【図１０】本発明の第３実施例に係わるもので、塵埃拭き取りシートが突き出るところを示している床用吸込体の縦断面図である。
【図１１】本発明の第４実施例に係わるもので、通常使用における床用吸込体の縦断面図である。
【図１２】本発明の第４実施例に係わるもので、塵埃拭き取りシートが突き出るところを示す床用吸込体の縦断面図である。
【図１３】本発明の第５実施例に係わるもので、通常使用における床用吸込体の外観斜視図である。
【図１４】本発明の第５実施例に係わるもので、通常使用における床用吸込体の縦断面図である。
【図１５】本発明の第５実施例に係わるもので、下ケースから離脱した床用吸込体の上ケースで隙間の掃除をしているところを示している斜視図である。
【図１６】本発明の第５実施例に係わるもので、床用吸込体の上ケースで隙間の掃除をしているところを示している縦断面図である。
【図１７】本発明の第５実施例に係わるもので、継ぎ手が床用吸込体の上ケースに対し、自在継手通路により左右方向に回動するところを示している平面図である。
【図１８】本発明の第５実施例に係わるもので、継ぎ手が床用吸込体の上ケースに対し、自在継手通路により左右方向に回動するところを示している斜視図である。
【図１９】本発明の第６実施例に係わるもので、通常使用における床用吸込体の縦断面図である。
【図２０】本発明の第６実施例に係わるもので、下ケースから離脱した床用吸込体の上ケースで隙間の掃除をしているところを示している縦断面図である。
【図２１】本発明の第７実施例に係わるもので、通常使用における床用吸込体の縦断面図である。
【図２２】本発明の第７実施例に係わるもので、下ケースから離脱した床用吸込体の上ケースで隙間の掃除をしているところを示している縦断面図である。
【図２３】本発明の第８実施例に係わるもので、通常使用における床用吸込体を前側から見た斜視図である。
【図２４】本発明の第８実施例に係わるもので、通常使用における床用吸込体を横側から見た斜視図である。
【図２５】本発明の第８実施例に係わるもので、隙間の掃除ができるように下ケースを前側に突き出すようにスライドさせた床用吸込体を前側から見た斜視図である。
【図２６】本発明の第８実施例に係わるもので、隙間の掃除ができるように下ケースを前側に突き出すようにスライドさせた床用吸込体を横側から見た斜視図である。
【図２７】本発明の第８実施例に係わるもので、通常使用における床用吸込体の縦断面図である。
【図２８】本発明の第８実施例に係わるもので、隙間の掃除をしているところを示している床用吸込体の縦断面図である。
【図２９】本発明の第８実施例に係わるもので、通常使用における床用吸込体をスライド駆動手段のところで断面した縦断面図である。
【図３０】本発明の第８実施例に係わるもので、隙間掃除における床用吸込体をスライド駆動手段のところで断面した縦断面図である。
【図３１】本発明の第９実施例に係わるもので、吸込体を延長管、吸込ホースを介して電気掃除機本体に繋いで掃除をしているところを示している斜視図である。
【図３２】本発明の第９実施例に係わるもので、吸込体の外観を示した斜視図である。
【図３３】本発明の第９実施例に係わるもので、図３２のＡ−Ａ断面図である。
【図３４】本発明の第９実施例に係わるもので、吸込体を分解して示した斜視図である。
【図３５】本発明の第９実施例に係わるもので、吸込体を家具等の下側の隙間に挿入して掃除をしているところを示す吸込体の断面図である。
【図３６】本発明の第１０実施例に係わるもので、吸込体の断面図である。
【図３７】本発明の第１１実施例に係わるもので、吸込体を分解して示した斜視図である。
【図３８】本発明の第１２実施例に係わるもので、吸込体を分解して示した斜視図である。
【図３９】本発明の第１３実施例に係わるもので、吸込体を曲げたところを示した断面図である。
【図４０】本発明の第１３実施例に係わるもので、吸込体を真っ直ぐ伸ばしたところを示した断面図である。
【図４１】本発明の第１４実施例に係わるもので、吸込体を上側から見たで斜視図である。
【図４２】本発明の第１４実施例に係わるもので、吸込体を家具等の円弧部に押し当てところを示す平面図である。
【図４３】本発明の実施例に係わるもので、吸込体の種々の形状を示す図である。
【図４４】本発明の第１５実施例に係わるもので、吸込体の外観を示した斜視図である。
【図４５】本発明の第１５実施例に係わるもので、吸込体を一部分解し、下面側から見たところを示した図である。
【符号の説明】
【０１４９】
１…床用吸込体、６…吸込開口、２…吸口継手、８…塵埃拭き取りシート、９…巻取手段。
【図１】
0004773241.tif 000002
【図２】
0004773241.tif 000003
【図３】
0004773241.tif 000004
【図４】
0004773241.tif 000005
【図５】
0004773241.tif 000006
【図６】
0004773241.tif 000007
【図７】
0004773241.tif 000008
【図８】
0004773241.tif 000009
【図９】
0004773241.tif 000010
【図１０】
0004773241.tif 000011
【図１１】
0004773241.tif 000012
【図１２】
0004773241.tif 000013
【図１３】
0004773241.tif 000014
【図１４】
0004773241.tif 000015
【図１５】
0004773241.tif 000016
【図１６】
0004773241.tif 000017
【図１７】
0004773241.tif 000018
【図１８】
0004773241.tif 000019
【図１９】
0004773241.tif 000020
【図２０】
0004773241.tif 000021
【図２１】
0004773241.tif 000022
【図２２】
0004773241.tif 000023
【図２３】
0004773241.tif 000024
【図２４】
0004773241.tif 000025
【図２５】
0004773241.tif 000026
【図２６】
0004773241.tif 000027
【図２７】
0004773241.tif 000028
【図２８】
0004773241.tif 000029
【図２９】
0004773241.tif 000030
【図３０】
0004773241.tif 000031
【図３１】
0004773241.tif 000032
【図３２】
0004773241.tif 000033
【図３３】
0004773241.tif 000034
【図３４】
0004773241.tif 000035
【図３５】
0004773241.tif 000036
【図３６】
0004773241.tif 000037
【図３７】
0004773241.tif 000038
【図３８】
0004773241.tif 000039
【図３９】
0004773241.tif 000040
【図４０】
0004773241.tif 000041
【図４１】
0004773241.tif 000042
【図４２】
0004773241.tif 000043
【図４３】
0004773241.tif 000044
【図４４】
0004773241.tif 000045
【図４５】
0004773241.tif 000046